(57)【要約】      （修正有）【課題】、ニードルの先端部による液体収容容器の開口が確実である場合、すなわち、ニードルの先端部の開口が液体収容容器内に完全に露出している場合にのみ、給水を可能とする。【解決手段】給水装置Ｄとニードル式開口装置Ｂとを一体的に構成して、ニードルの針頭の上下動と給水装置Ｄの上下動とを関連させるとともに、ニードルの針頭および開口が、液体収容容器Ａの底面より完全に突出位置しているところの、所定のニードル上昇位置でのみ、給水装置Ｄの給水操作を可能とする。給水装置Ｄの給水操作用の開弁操作レバー３３と干渉して弁開口操作を阻止する回動阻止壁面４１と、該回動阻止壁面４１の上方に形成されて前記開弁操作レバー３３の回動を許容して弁開口操作を可能とする回動用空間４２と、を有する開弁操作制御体４０を設ける。【選択図】図１
2015078012.tif 000002
【特許請求の範囲】
【請求項１】
給水装置とニードル式開口装置とを一体的に構成して、ニードルの針頭の上下動と給水装置の上下動とを関連させるとともに、
ニードルの針頭および開口が、液体収容容器の底面より完全に突出位置していろところの、所定のニードル上昇位置のでのみ、給水装置の給水操作を可能としたことを特徴とするウオーターサーバー。
【請求項２】
給水装置の給水操作用の開弁操作レバーと干渉して弁開口操作を阻止する回動阻止壁面と、該回動阻止壁面の上方に形成されて前記開弁操作レバーの回動を許容して弁開口操作を可能とする回動用空間と、を有する開弁操作制御体を設けたことを特徴とする請求項1に記載するウオーターサーバー。
【発明の詳細な説明】
【技術分野】
【０００１】
本発明は、ウオーターサーバーに関するものである。より詳しくは、飲料用液体を収容した液体収容容器を使用したウオーターサーバーに関するものである。
【背景技術】
【０００２】
この種のウオーターサーバーにおいて、液体収容容器の開封手段としてニードル式開口装置を使用するものとして、特許文献1「ウオーターサーバー」が公知である。上記のニードル式開口装置のニードルは、液体収容容器(ビニール袋)の開封状態で、針頭下方の開口をビニール袋内に露出することで、給水可能としている。
【先行技術文献】
【特許文献】
【０００３】
【特許文献１】特開2011-46446号公開公報「ウオーターサーバー」
【特許文献２】第316948号登録実用新案公報「ウオーターサーバーにおけるニードル」
【発明の概要】
【発明が解決しようとする課題】
【０００４】
特許文献1の特開2011-46446号公開公報「ウオーターサーバー」においては、ニードル式開口装置は、図７を参照して、飲料用液体が充填された液体収容容器(ビニール袋)の収納室の底面に、直立状態でニードルを装備している。
収納室にビニール袋を装填することで、ビニール袋が収納室の底面に接触することで、ニードルをビニール袋内へ突出させ、ビニール袋の開口を行っている。
よって、ビニール袋を装填しない状態では、収納室の底面11より上方に向けてニードル2の針頭が露出していることで、使用者が負傷する危険がある。
【０００５】
上記の危険を避けるべく、特許文献2の第316948号登録実用新案公報「ウオーターサーバーにおけるニードル」においては、ニードルの針頭は、常時はスプリングの弾性力により、収納室の底面の下方に位置して非露出状態に維持されている(図8参照)。
ビニール袋の開口操作にあたり、前記スプリング102の弾性力に抗してニードルの鍔部101を押上げることにより、ニードルを上昇させて収納室の底面より突出させるものである(図9参照)。
ニードル式開口装置は、ニードルの先端部が所定位置まで上昇することにより、ニードルの開口が液体収容容器内に露出して給水が確保される。
ニードルの上昇が不十分で、ニードルの先端部の所定位置まで上昇しない場合には、開口が不完全となる（開口の一部が液体収容容器内に露出しない）ことで装置内へ漏水を生じる問題点がある。
【０００６】
よって、本発明は、ニードルの先端部による液体収容容器の開口22が確実である場合、すなわち、ニードルの先端部の開口22が液体収容容器内に完全に露出している場合にのみ、給水を可能とすることを課題とする。
【課題を解決するための手段】
【０００７】
本願発明は、給水装置とニードル式開口装置とを一体的に構成して、ニードルの針頭の上下動と給水装置の上下動とを関連させるとともに、ニードルの針頭および開口が、液体収容容器の底面より完全に突出位置しているところの、所定のニードル上昇位置でのみ、給水装置の給水操作を可能としたことを特徴とする。
【発明の効果】
【０００８】
本発明は、ニードルの上昇が所定位置に達した場合にのみ、給水操作を許容することできる効果を有し、ニードルの上昇が不十分で、破封が不完全な場合、ニードルの開孔の位置がビニール袋の内部に位置しない場合には給水操作を阻止するものであるから、装置内への漏水を防止することができる。
【図面の簡単な説明】
【０００９】
【図１】本願発明のウオーターサーバーの大要を説明する縦断面図で、ニードルを待機位置とする給水停止状態で示す。
【図２】ニードルを作動位置とする給水可能状態で示す、図１同様の縦断面図。
【図３】本願発明のウオーターサーバーの要部の斜視図。
【図４】同じくニードルを待機位置とする給水停止状態で示す、要部の縦断面図。
【図５】同じくニードルを作動位置とする給水可能状態で示す、要部
【図６】給水状態の説明略図。
【図７】特許文献1のウオーターサーバーの大要を説明する縦断面図
【図８】特許文献2のウオーターサーバーにおけるニードルについて、ニードルの待機位置で示す縦断面図。
【図９】特許文献2のウオーターサーバーにおけるニードルについて、ニードルの作動位置で示す縦断面図。
【発明を実施するための形態】
【００１０】
図１ないし図6を参照して、本願発明の実施例を示すウオーターサーバーを説明する。
【００１１】
飲料用液体収容容器Aについて、容器本体1の容器本体底面11をほぼ水平面とする。
容器本体1内にビニール袋Wを平置き状態で収容することで、容器本体底面11にビニール袋W を接触させた状態とする。
【００１２】
ニードル式開口装置Bのニードル2 を、針頭21の下方に開口22する単一の内孔23を有する構造とすることで、ニードル2の針頭21および開口22を容器本体底面11の側面視断面で前面寄り、正面視断面で中央部に、突出自在とする。
【００１３】
つぎに、ニードル式開口装置Bについて説明する。
【００１４】
ニードル支持ケース20に、上部ガイド筒体24および下部ガイド筒体24aを固定し、ニードル2を、上部ガイド筒体24および下部ガイド筒体24aで支持して、ニードル2を上下動自在とする。
【００１５】
ニードル支持ケース20内に、ニードル上下手段Cを内装する。
【００１６】
ニードル上下手段Cは、ニードル2の周面に形成した従動ギヤ25と噛合う駆動ギヤ26をニードル支持ケース20内に軸架し、駆動ギヤ26に、ハンドル(手動操作レバー)27の基部を固定して、駆動ギヤ26の回動操作に対する倍力装置を構成して、軽い操作力でニードル2の上下動駆動を可能とする。
【００１７】
ハンドル(手動操作レバー)27は、フックボタン28を設け、所定のニードル上昇位置において、ニードル支持ケース20内の係止手段と自動係止するように構成する。
【００１８】
ハンドル(手動操作レバー)27には、フックボタン28を露出させ、該フックボタンの操作によりニードル2の降下を可能とする。
【００１９】
ニードル2の下端部を、ニードル支持ケース20の下方へ突出させ、給水装置Ｄ
を螺着固定する。
【００２０】
上記の構成により、ニードルの開口22と給水装置50とは、ニードル2の内孔23を介して連通するとともに、ニードルの開口22と給水装置50との水路は、外気に対して遮断状態である。
ハンドル(手動操作レバー)27には、フックボタン28を露出させ、該フックボタンの操作によりニードル2の降下を可能とする。
【００２１】
ニードル2の下端部を、ニードル支持ケース20の下方へ突出させ、給水装置Ｄ
を螺着固定する。
なぉ、実施例においては、ニードル2について、針頭21および開口22を有する先端部とニードル本体とを一体構造としたが、先端部とニードル本体とを着脱自在な構造として、先端部を取替え自在として、ニードルの保守を容易とすることができる。
【００２２】
ニードル2の下端部に給水装置Ｄを固定して一体化したことにより、ニードル2の上下動と、給水装置Ｄの上下動とは、連動する。
【００２３】
また、ニードルの開口22と給水装置Ｄとは、ニードル2の内孔23を介して連通するとともに、ニードルの開口22と給水装置Ｄとの水路は、外気に対して遮断状態である。
【００２４】
つぎに、給水装置Ｄを説明する。
【００２５】
給水装置Ｄは、図3ないし図6を参照して、弁体31を内装し、給水口32を下方ヘ向け垂下させた弁体ハウジング30で構成し、弁体31の先端部に、弁体開閉操作用の開弁操作レバー(給水ハンドル)33の基端を軸支して、開弁操作レバー33の先端作用部34の前後動により弁体31を“開”“閉”の位置へ変位させることで、給水と給水停止とを選択すべく構成する。
【００２６】
本願発明は、上述のごとく、給水装置Ｄとニードル式開口装置Ｂとを一体的に構成して、ニードル2の針頭21の上下動と給水装置Ｄの上下動とを関連させるとともに、上記の給水装置Ｄの開弁操作レバー33の操作を制限する。
【００２７】
すなわち、給水装置Ｄの開弁操作レバー33を、ニードル2の針頭21および開口22が、容器底面11より完全に突出位置していろところの、所定のニードル上昇位置のでのみ、給水操作を可能とすべく、開弁操作レバー33の先端作用部34の移動を制限する。
【００２８】
図4および図5に示す実施例においては、給水装置Ｄを包囲する給水室Ｒを包囲する垂直壁面の一部で、所定のニードル上昇位置よりも下方のニードル位置に対応させて、回動阻止壁面41を構成し、回動阻止壁面41の上方に回動用空間42を形成することで、回動阻止壁面41および回動用空間42よりなる開弁操作制御体40を設ける。
【００２９】
回動阻止壁面41は、給水装置Ｄの開弁操作レバーの先端作用部34と干渉(接触)して弁開口操作を阻止する(図4)。
【００３０】
回動用空間42は、前記開弁操作レバーの回動を許容して、開弁操作レバーの弁開口操作を可能とすることで、給水操作を可能とする(図5)。
【００３１】
ウオーターサーバーには、冷却装置または加熱装置を装備することで、冷却飲料水または加熱飲料水を供給する。
【産業上の利用可能性】
【００３２】
本願発明は、本願発明は、ウオーターサーバーの使用の安全化はかることにより、ウオーターサーバーの使用を促進して、産業の発展に寄与するものである。
【符号の説明】
【００３３】
Ａ    飲料用液体収容容器
Ｂ    ニードル式開口装置
Ｄ    給水装置
Ｗ    ビニール袋
1               
容器本体
11    容器本体底面
2    ニードル
21    針頭
22    開口
23    内孔
31    弁体
32    給水口
33    開弁操作レバー
40    開弁操作制御体
41               
回動阻止壁面
42    回動用空間
【図１】
2015078012.tif 000003
【図２】
2015078012.tif 000004
【図３】
2015078012.tif 000005
【図４】
2015078012.tif 000006
【図５】
2015078012.tif 000007
【図６】
2015078012.tif 000008
【図７】
2015078012.tif 000009
【図８】
2015078012.tif 000010
【図９】
2015078012.tif 000011